(57)【要約】【課題】複数の記憶装置からコンテンツを横断的に検索する場合に、従来よりも容易にコンテンツを検索及び選択する【解決手段】優先度表は、Ｗｉ−Ｆｉ通信の可否に応じて、かつ、択一的に選択可能なパラメータに応じて、ローカル記憶装置１４、自宅サーバ装置４、及びクラウドサーバ装置７を所定の優先度で順序付ける情報を含む。制御回路１１は、優先度表を参照し、Ｗｉ−Ｆｉ通信の可否に応じて、かつ、パラメータに応じて、ローカル記憶装置１４、自宅サーバ装置４、及びクラウドサーバ装置７の優先度を決定する。制御回路１１は、ローカル記憶装置１４に格納されたコンテンツを示す第１のリストと、自宅サーバ装置４及びクラウドサーバ装置７に格納されたコンテンツを示す第２のリストとを取得する。制御回路１１は、決定された優先度に基づいて第１及び第２のリストを組み合わせて第３のリストを生成し、第３のリストを表示装置１８に表示する。【選択図】図１
2018180774.tif 000002
【特許請求の範囲】
【請求項１】
コンテンツを再生するコンテンツ再生装置であって、前記コンテンツ再生装置は、
前記コンテンツを格納する第１のコンテンツ記憶装置と、
前記コンテンツを格納する少なくとも１つの第２のコンテンツ記憶装置に接続された第１の基地局装置と無線通信する第１の無線通信回路と、
前記少なくとも１つの第２のコンテンツ記憶装置に接続された第２の基地局装置と無線通信する第２の無線通信回路と、
前記第１及び第２のコンテンツ記憶装置の優先度を指定する優先度表を格納した優先度表記憶装置と、
前記第１及び第２のコンテンツ記憶装置のコンテンツを検索するためのユーザ入力を受ける入力装置と、
前記第１及び第２のコンテンツ記憶装置のコンテンツを検索した結果を表示する表示装置と、
前記コンテンツの検索を制御する制御回路とを備え、
前記優先度表は、前記第１の基地局装置との無線通信の可否に応じて、かつ、ユーザにより択一的に選択可能な複数のパラメータに応じて、前記第１及び第２のコンテンツ記憶装置を所定の優先度で順序付ける情報を含み、
前記制御回路は、
前記優先度表を参照して、前記第１の基地局装置との無線通信の可否に応じて、かつ、前記パラメータに応じて、前記第１及び第２のコンテンツ記憶装置の優先度を決定し、
前記第１のコンテンツ記憶装置に格納されたコンテンツのうちの少なくとも一部を示す第１のリストと、前記少なくとも１つの第２のコンテンツ記憶装置に格納されたコンテンツのうちの少なくとも一部を示す第２のリストとを取得し、
前記決定された優先度に基づいて前記第１及び第２のリストを組み合わせて第３のリストを生成し、前記第３のリストを前記表示装置に表示する、
コンテンツ再生装置。
【請求項２】
前記制御回路は、前記第１及び第２のリストのうち、前記第１及び第２のコンテンツ記憶装置のうちでより高い優先度を有するほうのリストを先に表示するように、前記第３のリストを生成する、
請求項１記載のコンテンツ再生装置。
【請求項３】
前記制御回路は、前記第１及び第２のリストのうち、前記第１及び第２のコンテンツ記憶装置のうちでより高い優先度を有するほうのリストのコンテンツをより多く含むように、前記第３のリストを生成する、
請求項１又は２記載のコンテンツ再生装置。
【請求項４】
前記制御回路は、前記入力装置から入力されたキーワードに基づいて、前記第１及び第２のリストを取得する、
請求項１〜３のうちの１つに記載のコンテンツ再生装置。
【請求項５】
前記制御回路は、ユーザにより選択されたパラメータに基づいて、前記第１及び第２のリストを取得する、
請求項１〜４のうちの１つに記載のコンテンツ再生装置。
【請求項６】
前記複数のパラメータのうちの少なくとも一部は、ユーザにより選択可能な複数のサブパラメータを有し、
前記制御回路は、ユーザにより選択されたサブパラメータに基づいて、前記第１及び第２のリストを取得する、
請求項５記載のコンテンツ再生装置。
【請求項７】
前記コンテンツは、音楽データ、静止画データ、及び動画データのうちの少なくとも１つを含む、
請求項１〜６のうちの１つに記載のコンテンツ再生装置。
【請求項８】
前記第１の無線通信回路は、Ｗｉ−Ｆｉ（登録商標）により前記第１の基地局装置と無線通信し、
前記第２の無線通信回路は、ＬＴＥにより前記第２の基地局装置と無線通信する、
請求項１〜７のうちの１つに記載のコンテンツ再生装置。
【請求項９】
前記第２のコンテンツ記憶装置は、前記コンテンツ再生装置からインターネットを介さずにローカルエリアネットワークを介して接続される少なくとも１つの記憶装置を含む、
請求項１〜８のうちの１つに記載のコンテンツ再生装置。
【請求項１０】
前記第２のコンテンツ記憶装置は、前記コンテンツ再生装置からインターネットを介して接続される少なくとも１つの記憶装置を含む、
請求項１〜９のうちの１つに記載のコンテンツ再生装置。
【請求項１１】
コンテンツを再生するコンテンツ再生装置において実行されるプログラムであって、前記コンテンツ再生装置は、
前記コンテンツを格納する第１のコンテンツ記憶装置と、
前記コンテンツを格納する少なくとも１つの第２のコンテンツ記憶装置に接続された第１の基地局装置と無線通信する第１の無線通信回路と、
前記少なくとも１つの第２のコンテンツ記憶装置に接続された第２の基地局装置と無線通信する第２の無線通信回路と、
前記第１及び第２のコンテンツ記憶装置の優先度を指定する優先度表を格納した優先度表記憶装置と、
前記第１及び第２のコンテンツ記憶装置のコンテンツを検索するためのユーザ入力を受ける入力装置と、
前記第１及び第２のコンテンツ記憶装置のコンテンツを検索した結果を表示する表示装置と、
前記コンテンツの検索を制御する制御回路とを備え、
前記優先度表は、前記第１の基地局装置との無線通信の可否に応じて、かつ、ユーザにより択一的に選択可能な複数のパラメータに応じて、前記第１及び第２のコンテンツ記憶装置を所定の優先度で順序付ける情報を含み、
前記プログラムは、前記制御回路によって実行されたとき、
前記優先度表を参照して、前記第１の基地局装置との無線通信の可否に応じて、かつ、前記パラメータに応じて、前記第１及び第２のコンテンツ記憶装置の優先度を決定するステップと、
前記第１のコンテンツ記憶装置に格納されたコンテンツのうちの少なくとも一部を示す第１のリストと、前記少なくとも１つの第２のコンテンツ記憶装置に格納されたコンテンツのうちの少なくとも一部を示す第２のリストとを取得するステップと、
前記決定された優先度に基づいて前記第１及び第２のリストを組み合わせて第３のリストを生成し、前記第３のリストを前記表示装置に表示するステップとを含む、
プログラム。
【発明の詳細な説明】
【技術分野】
【０００１】
本発明は、コンテンツを再生するコンテンツ再生装置と、そのようなコンテンツ再生装置のためのプログラムとに関する。
【背景技術】
【０００２】
音楽、静止画、及び／又は動画のコンテンツを再生するコンテンツ再生装置として、スマートホンなどのように、無線通信可能な携帯型電子機器が利用されている。コンテンツ再生装置は、無線通信機能を備えたことにより、内部のローカルな記憶装置のコンテンツだけでなく、ユーザの自宅のサーバ装置、サードパーティによって提供されるクラウドのサーバ装置などのコンテンツを読み出して再生することもできる。記憶媒体の大容量化及び通信回線の広帯域化に伴い、コンテンツをいろいろな場所に保存しておき、各保存先を横断的に利用してコンテンツを楽しむ人が増えている。
【０００３】
特許文献１は、ネットワークを介して互いに接続された複数のサーバ装置からユーザにコンテンツを提供することを開示している。
【先行技術文献】
【特許文献】
【０００４】
【特許文献１】特開２０１６−１０６３２０号公報
【発明の概要】
【発明が解決しようとする課題】
【０００５】
複数の場所における複数の記憶装置からユーザの所望のコンテンツを横断的に検索する場合、記憶装置の個数が増えると、それに応じて、検索結果に含まれるコンテンツの個数も増える。検索結果として大量のコンテンツの情報がユーザに提示されると、ユーザはその中から再検索しなければならず、所望のコンテンツに到達するまでに手間がかかってしまう。このため、複数の記憶装置からコンテンツを横断的に検索する場合、コンテンツの検索及び選択を容易化することが求められる。
【０００６】
本発明は、複数の記憶装置からコンテンツを横断的に検索する場合に、従来よりも容易にコンテンツを検索及び選択することができるコンテンツ再生装置を提供する。
【課題を解決するための手段】
【０００７】
本発明の一態様に係るコンテンツ再生装置は、
コンテンツを再生するコンテンツ再生装置であって、前記コンテンツ再生装置は、
前記コンテンツを格納する第１のコンテンツ記憶装置と、
前記コンテンツを格納する少なくとも１つの第２のコンテンツ記憶装置に接続された第１の基地局装置と無線通信する第１の無線通信回路と、
前記少なくとも１つの第２のコンテンツ記憶装置に接続された第２の基地局装置と無線通信する第２の無線通信回路と、
前記第１及び第２のコンテンツ記憶装置の優先度を指定する優先度表を格納した優先度表記憶装置と、
前記第１及び第２のコンテンツ記憶装置のコンテンツを検索するためのユーザ入力を受ける入力装置と、
前記第１及び第２のコンテンツ記憶装置のコンテンツを検索した結果を表示する表示装置と、
前記コンテンツの検索を制御する制御回路とを備え、
前記優先度表は、前記第１の基地局装置との無線通信の可否に応じて、かつ、ユーザにより択一的に選択可能な複数のパラメータに応じて、前記第１及び第２のコンテンツ記憶装置を所定の優先度で順序付ける情報を含み、
前記制御回路は、
前記優先度表を参照して、前記第１の基地局装置との無線通信の可否に応じて、かつ、前記パラメータに応じて、前記第１及び第２のコンテンツ記憶装置の優先度を決定し、
前記第１のコンテンツ記憶装置に格納されたコンテンツのうちの少なくとも一部を示す第１のリストと、前記少なくとも１つの第２のコンテンツ記憶装置に格納されたコンテンツのうちの少なくとも一部を示す第２のリストとを取得し、
前記決定された優先度に基づいて前記第１及び第２のリストを組み合わせて第３のリストを生成し、前記第３のリストを前記表示装置に表示する。
【発明の効果】
【０００８】
本発明は、優先度表を用いることにより、複数の記憶装置からコンテンツを横断的に検索する場合に、従来よりも容易にコンテンツを検索及び選択することができるコンテンツ再生装置を提供する。
【図面の簡単な説明】
【０００９】
【図１】実施形態に係るコンテンツ再生システムの構成を示すブロック図である。
【図２】図１の優先度表メモリ１５に格納される優先度表の例を示す図である。
【図３】図１の制御回路１１によって実行されるコンテンツ検索処理を示すフローチャートである。
【図４】図１の制御回路１１によりコンテンツ再生プログラムを実行したときの初期状態の画面を示す図である。
【図５】図４のテキストボックス２３にキーワード「Ａｒｔｉｓｔ１」を入力した状態を示す図である。
【図６】図５の条件で検索した結果を含むコンテンツリストを表示した状態を示す図である。
【図７】図５のパラメータ「ムード」を選択し、そのサブパラメータを表示した状態を示す図である。
【図８】図７のサブパラメータ「Ｈａｐｐｙ」を選択し、その条件で検索した結果を含むコンテンツリストを表示した状態を示す図である。
【図９】Ｗｉ−Ｆｉ（登録商標）通信不可であるとき、サブパラメータ「Ｈａｐｐｙ」を選択し、その条件で検索した結果を含むコンテンツリストを表示した状態を示す図である。
【発明を実施するための形態】
【００１０】
以下、図面を参照して、本発明の実施形態に係るコンテンツ再生装置について説明する。
【００１１】
図１は、実施形態に係るコンテンツ再生システムの構成を示すブロック図である。図１のコンテンツ再生システムは、コンテンツ再生装置１、Ｗｉ−Ｆｉ基地局装置３、自宅サーバ装置４、ＬＴＥ（Long Term Evolution）基地局装置５、インターネット６、クラウドサーバ装置７、及び気象情報サーバ装置８を含む。Ｗｉ−Ｆｉ基地局装置３及び自宅サーバ装置４は、コンテンツ再生装置１のユーザの自宅２に設けられる。コンテンツ再生装置１のユーザは、コンテンツ再生装置１を用いて、コンテンツ再生装置１の内部にローカルに格納されたユーザのコンテンツと、自宅サーバ装置４及びクラウドサーバ装置７に格納されたユーザのコンテンツとから、ユーザの所望のコンテンツを横断的に検索して再生する。コンテンツは、音楽データ、静止画データ、動画データ、及び他の任意の形式のファイルのうちの少なくとも１つを含む。
【００１２】
コンテンツ再生装置１は、例えば、スマートホンなどのように、無線通信可能な携帯型電子機器である。コンテンツ再生装置１は、Ｗｉ−Ｆｉ基地局装置３及びＬＴＥ基地局装置５と無線通信可能に接続される。コンテンツ再生装置１は、ユーザの自宅２に位置している場合には、Ｗｉ−Ｆｉ基地局装置３と優先的に通信する。一方、コンテンツ再生装置１は、ユーザが外出中である場合など、Ｗｉ−Ｆｉ基地局装置３と通信可能でない場合には、ＬＴＥ基地局装置５と通信する。
【００１３】
自宅サーバ装置４及びＷｉ−Ｆｉ基地局装置３は、ユーザの自宅２のローカルエリアネットワークにおいて有線又は無線で互いに通信可能に接続される。自宅サーバ装置４は、コンテンツ再生装置１からインターネット６を介さずに自宅２のローカルエリアネットワークを介して接続される。自宅サーバ装置４は、ユーザのコンテンツを格納する記憶装置を含む。自宅サーバ装置４は、例えばＮＡＳ（Network Attached Storage）と呼ばれる記憶装置であってもよい。Ｗｉ−Ｆｉ基地局装置３はさらに、インターネット６を介して、クラウドサーバ装置７及び気象情報サーバ装置８に接続される。従って、コンテンツ再生装置１は、Ｗｉ−Ｆｉ基地局装置３と通信するとき、自宅サーバ装置４及びクラウドサーバ装置７に格納されたコンテンツにアクセス可能である。
【００１４】
ＬＴＥ基地局装置５は、インターネット６を介して、クラウドサーバ装置７及び気象情報サーバ装置８に接続される。従って、コンテンツ再生装置１は、ＬＴＥ基地局装置５と通信するとき、クラウドサーバ装置７に格納されたコンテンツにアクセス可能である。
【００１５】
クラウドサーバ装置７は、コンテンツ再生装置１からインターネット６を介して接続される。クラウドサーバ装置７は、サードパーティによって提供されるクラウドのサーバ装置であり、ユーザのコンテンツを格納する記憶装置を含む。
【００１６】
気象情報サーバ装置８は、Ｗｉ−Ｆｉ基地局装置３又はＬＴＥ基地局装置５を介して、気象情報をコンテンツ再生装置１に提供する。
【００１７】
コンテンツ再生装置１は、制御回路１１、入力装置１２、測位装置１３、ローカル記憶装置１４、優先度表メモリ１５、Ｗｉ−Ｆｉ通信回路１６、ＬＴＥ通信回路１７、表示装置１８、及びスピーカ１９を備える。
【００１８】
ローカル記憶装置１４はユーザのコンテンツを格納する。
【００１９】
Ｗｉ−Ｆｉ通信回路１６は、自宅サーバ装置４及びクラウドサーバ装置７に接続されたＷｉ−Ｆｉ基地局装置３とＷｉ−Ｆｉにより無線通信する。
【００２０】
ＬＴＥ通信回路１７は、クラウドサーバ装置７に接続されたＬＴＥ基地局装置５とＬＴＥにより無線通信する。
【００２１】
優先度表メモリ１５は、ローカル記憶装置１４、自宅サーバ装置４、及びクラウドサーバ装置７の優先度を指定する優先度表を格納する。優先度表は、Ｗｉ−Ｆｉ基地局装置３との無線通信の可否に応じて、かつ、ユーザにより択一的に選択可能な複数のパラメータに応じて、ローカル記憶装置１４、自宅サーバ装置４、及びクラウドサーバ装置７を所定の優先度で順序付ける情報を含む。
【００２２】
入力装置１２は、ローカル記憶装置１４、自宅サーバ装置４、及びクラウドサーバ装置７のコンテンツを検索するためのユーザ入力を受ける。入力装置１２は、表示装置１８に一体化されたタッチパネルであってもよい。
【００２３】
制御回路１１は、優先度表を参照して、ローカル記憶装置１４、自宅サーバ装置４、及びクラウドサーバ装置７に格納されたコンテンツの検索を制御する。制御回路１１は、検索部１１ａ、コンテンツリスト取得部１１ｂ、及びコンテンツリスト作成部１１ｃを備える。検索部１１ａは、ユーザ入力から検索式を生成し、検索式に基づいて、自宅サーバ装置４、及びクラウドサーバ装置７に格納されたコンテンツを検索する。コンテンツリスト取得部１１ｂは、自宅サーバ装置４、及びクラウドサーバ装置７から、検索結果を示すコンテンツのリストを取得する。コンテンツリスト作成部１１ｃは、取得されたコンテンツのリストを組み合わせて、最終的にユーザに表示するための１つのコンテンツリストを作成する。検索部１１ａ、コンテンツリスト取得部１１ｂ、及びコンテンツリスト作成部１１ｃは、例えば、プロセッサ上で実行されるプログラムとして実装される。本明細書では、このプログラムを「コンテンツ検索プログラム」と呼ぶ。
【００２４】
表示装置１８は、ローカル記憶装置１４、自宅サーバ装置４、及びクラウドサーバ装置７のコンテンツを検索した結果を表示する。さらに、表示装置１８は、コンテンツが静止画又は動画である場合、検索結果からユーザによって選択されたコンテンツを表示する。
【００２５】
スピーカ１９は、コンテンツが音楽又は動画である場合、検索結果からユーザによって選択されたコンテンツを出力する。コンテンツ再生装置１は、スピーカ１９に加えて、又はそれに代えて、ヘッドホンのための端子を備えてもよい。
【００２６】
測位装置１３は、ＧＰＳなどを用いて、コンテンツ再生装置１の位置を測定する。
【００２７】
以下、コンテンツを格納するローカル記憶装置１４、自宅サーバ装置４、及びクラウドサーバ装置７を総称して、「ソース装置」とも呼ぶ。
【００２８】
図２は、図１の優先度表メモリ１５に格納される優先度表の例を示す図である。各ソース装置に対応する列「ローカル」、「自宅」、及び「クラウド」における数字「１」〜「３」は、ソース装置の優先度を示し、数字が小さいほど優先度が高いことを意味する。
【００２９】
制御回路１１は、Ｗｉ−Ｆｉ基地局装置３とのＷｉ−Ｆｉ通信の可否（「○」又は「×」）に基づいて、ユーザ（及びコンテンツ再生装置１）が現在いる場所を判断することができる。Ｗｉ−Ｆｉ基地局装置３とＷｉ−Ｆｉにより通信可能であれば、ユーザはユーザの自宅２にいると考えられ、そうでないとき、ユーザは外出していると考えられる。図２に示すように、Ｗｉ−Ｆｉ通信の可否に応じてソース装置の優先度は変化する。
【００３０】
パラメータは、例えば、「視聴履歴」、「お気に入り」、「時刻」、「気温」、「位置情報」、「誕生日」、「ムード」、「ジャンル」、「天気」、「曜日」、などを含む。ユーザは、これらのパラメータのうちの１つを選択する。
【００３１】
パラメータ「視聴履歴」が選択されたとき、制御回路１１は、ユーザの過去の視聴履歴の情報に基づいて検索式を生成する。パラメータ「お気に入り」が選択されたとき、制御回路１１は、ユーザがお気に入り登録したコンテンツの情報に基づいて検索式を生成する。パラメータ「時刻」又は「誕生日」が選択されたとき、制御回路１１は、コンテンツ再生装置１が保持している時刻情報に基づいて検索式を生成する。パラメータ「気温」が選択されたとき、制御回路１１は、気象情報サーバ装置８から取得された気象情報に基づいて検索式を生成する。パラメータ「位置情報」が選択されたとき、制御回路１１は、測位装置１３から取得されたコンテンツ再生装置１の位置情報に基づいて検索式を生成する。制御回路１１は、選択された１つのパラメータに基づいて検索式を生成し、選択されたパラメータに対応するメタデータを有するコンテンツを検索する。
【００３２】
複数のパラメータのうちの少なくとも一部は、ユーザにより選択可能な複数のサブパラメータを有する。図２の例では、パラメータ「ムード」、「ジャンル」、「天気」、及び「曜日」がサブパラメータをそれぞれ有し、他のパラメータはサブパラメータをもたない。パラメータ「ムード」は、サブパラメータ「Ｈａｐｐｙ」、「Ｒｅｌａｘ」、「Ｓａｄ」、「Ｅｘｃｉｔｅｄ」、「Ｄａｒｋ」、「Ｓｔｕｄｙ」、「Ｄｒｉｖｅ」、などを含む。パラメータ「ジャンル」は、サブパラメータ「ポップ」、「ロック」、「ヒップホップ」、「Ｒ＆Ｂ」、「ジャズ」、「クラシック」、「ブルース」、「フォーク」、「カントリー」、などを含む。パラメータ「天気」は、サブパラメータ「晴れ」、「曇り」、「雨」、「雪」、「風」、などを含む。パラメータ「曜日」は、サブパラメータ「月曜」、「火曜」、「水曜」、「木曜」、「金曜」、「土曜」、及び「日曜」を含む。制御回路１１は、選択された１つのサブパラメータに基づいて検索式を生成し、選択されたサブパラメータに対応するメタデータを有するコンテンツを検索する。
【００３３】
図２に示すように、パラメータに応じてソース装置の優先度は変化する。
【００３４】
ここで、いくつかのパラメータ及びサブパラメータが選択された場合の優先度の例について説明する。
【００３５】
パラメータ「視聴履歴」が選択された場合には、優先度は以下のように決定される。視聴履歴は、ユーザが過去に視聴したコンテンツの履歴に基づく。従って、Ｗｉ−Ｆｉ通信不可（外出中）の場合でもコンテンツリストに包含することができるコンテンツの個数をなるべく増やすために、優先度を「ローカル＞クラウド＞自宅」と決定する。一方、Ｗｉ−Ｆｉ通信可（自宅にいる）の場合は、Ｗｉ−Ｆｉ通信不可の場合に優先度が低かった自宅サーバ装置４に格納されたコンテンツを優先的にコンテンツリストに包含するために、優先度を「自宅＞ローカル＝クラウド」と決定する。
【００３６】
パラメータ「ムード」又は「ジャンル」が選択された場合には、優先度は以下のように決定される。Ｗｉ−Ｆｉ通信可の場合は、ネットワーク環境が利用可能であることを考慮して、自宅サーバ装置４及びクラウドサーバ装置７に格納されたコンテンツを優先的にコンテンツリストに包含するために、優先度を「自宅＝クラウド＞ローカル」と決定する。一方、Ｗｉ−Ｆｉ通信不可の場合は、移動先でも持ち歩いているローカル記憶装置１４に格納されたコンテンツを優先的にコンテンツリストに包含するために、優先度を「ローカル＞自宅＝クラウド」と決定する。
【００３７】
パラメータ「曜日」が選択された場合には、優先度は以下のように決定される。平日かつＷｉ−Ｆｉ通信可の場合は、自宅にいても会社又は学校から帰宅した後であり、自宅にいる時間自体が休日に比べて短いと想定されるので、優先度を「自宅＝クラウド＞ローカル」と決定する。土日かつＷｉ−Ｆｉ通信可の場合は、平日よりも長い時間にわたって自宅にいると想定できるので、優先度を「自宅＞クラウド＞ローカル」と決定する。
【００３８】
パラメータ「天気」のサブパラメータは、気象情報サーバ装置８から取得された気象情報に基づいて自動的に選択されてもよく、ユーザによって手動で選択されてもよい。同様に、パラメータ「曜日」のサブパラメータは、コンテンツ再生装置１が保持している日時情報に基づいて自動的に選択されてもよく、ユーザによって手動で選択されてもよい。
【００３９】
優先度表の内容は、例えば、コンテンツ検索プログラムの更新とともに更新されてもよく、ユーザ設定により任意に変更されてもよい。
【００４０】
制御回路１１は、このように、優先度表を参照して、Ｗｉ−Ｆｉ通信の可否に応じて、かつ、複数のパラメータに応じて、ローカル記憶装置１４、自宅サーバ装置４、及びクラウドサーバ装置７を所定の優先度で順序付ける。
【００４１】
図３は、図１の制御回路１１によって実行されるコンテンツ検索処理を示すフローチャートである。
【００４２】
ステップＳ１において、ユーザによりコンテンツ検索プログラムが起動され、制御回路１１は、図４の画面を表示する。
【００４３】
図４は、図１の制御回路１１によりコンテンツ再生プログラムを実行したときの初期状態の画面を示す図である。表示装置１８の画面は、Ｗｉ−Ｆｉアイコン２１、ＬＴＥアイコン２２、テキストボックス２３、パラメータメニュー２４、及び検索ボタン２５を含む。Ｗｉ−Ｆｉアイコン２１はＷｉ−Ｆｉ通信の可否を示し、ＬＴＥアイコン２２はＬＴＥ通信の可否を示す。テキストボックス２３は、検索のためのキーワードをユーザから受け付ける。パラメータメニュー２４は、図２の優先度表を参照して説明した複数のパラメータを含む。検索ボタン２５が押下されたとき、制御回路１１は検索を実行する。
【００４４】
ステップＳ２において、制御回路１１は、Ｗｉ−Ｆｉ基地局装置３とのＷｉ−Ｆｉ通信の可否を判断する。
【００４５】
ステップＳ３において、制御回路１１は、図４の画面のテキストボックス２３にキーワードが入力されたか否かを判断し、ＹＥＳのときはステップＳ４に進み、ＮＯのときはステップＳ５に進む。図５は、図４のテキストボックス２３にキーワード「Ａｒｔｉｓｔ１」を入力した状態を示す図である。ステップＳ４において、制御回路１１は、入力されたキーワードを検索式に追加する。
【００４６】
ステップＳ５において、制御回路１１は、優先度表の複数のパラメータのうちの１つが選択されたか否かを判断し、ＹＥＳのときはステップＳ６に進み、ＮＯのときはステップＳ１０に進む。ステップＳ６において、制御回路１１は、優先度表を参照して、Ｗｉ−Ｆｉ基地局装置３との無線通信の可否に応じて、かつ、パラメータに応じて、ローカル記憶装置１４、自宅サーバ装置４、及びクラウドサーバ装置７の優先度を決定する。
【００４７】
ステップＳ７において、制御回路１１は、選択されたパラメータがサブパラメータを有するか否かを判断し、ＹＥＳのときはステップＳ９に進み、ＮＯのときはステップＳ８に進む。ステップＳ８において、制御回路１１は、ユーザによって選択されたパラメータを検索式に追加する。ステップＳ９において、制御回路１１は、ユーザによって選択されたサブパラメータを検索式に追加する。
【００４８】
ステップＳ１０において、制御回路１１は、検索ボタン２５が押下されたか否かを判断し、ＹＥＳのときはステップＳ１１に進み、ＮＯのときはステップＳ３に戻る。ステップＳ１１において、制御回路１１は、ローカル記憶装置１４、自宅サーバ装置４、及びクラウドサーバ装置７ソース装置のコンテンツを検索する。ステップＳ１２において、制御回路１１は、各ローカル記憶装置１４、自宅サーバ装置４、及びクラウドサーバ装置７から検索結果のリストをそれぞれ取得し、コンテンツリストを作成する。制御回路１１は、ローカル記憶装置１４に格納されたコンテンツのうちの少なくとも一部を示すリストを生成する。制御回路１１は、自宅サーバ装置４から、自宅サーバ装置４に格納されたコンテンツのうちの少なくとも一部を示すリストを受信する。制御回路１１は、クラウドサーバ装置７から、クラウドサーバ装置７に格納されたコンテンツのうちの少なくとも一部を示すリストを受信する。制御回路１１は、決定された優先度に基づいて各ソース装置から取得されたリストを組み合わせて１つのコンテンツリストを生成する。
【００４９】
図６は、図５の条件で検索した結果を含むコンテンツリストを表示した状態を示す図である。図６は、優先度表を参照せず、優先度に基づかずにコンテンツリストを生成した場合を示す。「Ｔｉｔｌｅ−Ａ」、「Ｔｉｔｌｅ−Ｂ」、…は曲目を示し、「Ａｒｔｉｓｔ１」、「Ａｒｔｉｓｔ２」、…はアーティストを示し、「ＡｌｂｕｍＡ」、「ＡｌｂｕｍＢ」、…はアルバムを示す。図６は、パラメータを選択せずに（ステップＳ５がＮＯ）検索した結果を示す。ローカル記憶装置１４、自宅サーバ装置４、及びクラウドサーバ装置７から取得された検索結果が整理されずに表示されている。従って、ユーザは、所望のコンテンツに淘汰するためには、絞り込み検索ボタン２６を押下して図５の画面に戻り、検索式に条件を追加して絞り込み検索を実行する必要が生じることがある。
【００５０】
図７は、図５のパラメータ「ムード」を選択し、そのサブパラメータを表示した状態を示す図である。図８は、図７のサブパラメータ「Ｈａｐｐｙ」を選択し、その条件で検索した結果を含むコンテンツリストを表示した状態を示す図である。図８は、優先度表を参照し、優先度に基づいてコンテンツリストを生成した場合を示す。ユーザがパラメータ「ムード」を選択したとき、パラメータ「ムード」の複数のサブパラメータを含むサブパラメータプルダウンメニュー２７が表示される。サブパラメータプルダウンメニュー２７のサブパラメータ「Ｈａｐｐｙ」を選択して検索したとき、図７に示すコンテンツリストが表示される。制御回路１１は、各ソース装置から取得されたリストのうち、より高い優先度を有するほうのリストを先に表示するように、コンテンツリストを生成する。さらに、制御回路１１は、各ソース装置から取得されたリストのうち、より高い優先度を有するほうのリストのコンテンツをより多く含むように、コンテンツリストを生成する。
【００５１】
優先度表において複数のソース装置が同一の優先度を有する場合には、制御回路１１は、複数のソース装置から取得されたコンテンツのリストのうち、先に取得されたリストから順に表示するように、コンテンツリストを生成する。前提として、同じソース装置に格納された複数のコンテンツは、アルファベット順及び５０音順で表示される。また、コンテンツリストに含まれるコンテンツの個数は、ユーザによって任意に設定される。
【００５２】
優先度表を参照しない通常のキーワード検索では、図６に示すように、コンテンツリストは、コンテンツを格納したソース装置に関係なく、コンテンツを表示する。通常のキーワード検索に加えて、優先度表を利用した検索では、例えば図８に示すように、優先度表において、パラメータ「ムード」かつＷｉ−Ｆｉ通信可否「○」の場合の優先度に従い、優先度の高いソース装置に格納されたコンテンツから順に表示する。
【００５３】
一方、図９は、Ｗｉ−Ｆｉ通信不可であるとき、サブパラメータ「Ｈａｐｐｙ」を選択し、その条件で検索した結果を含むコンテンツリストを表示した状態を示す図である。制御回路１１は、優先度表を参照して、各ソース装置から取得されたリストを図８の場合とは異なる順序で表示するように、コンテンツリストを生成する。Ｗｉ−Ｆｉ通信不可であるので、自宅サーバ装置４に格納されたコンテンツは表示されない。
【００５４】
ステップＳ１３において、制御回路１１は、作成されたコンテンツリストを表示装置１８に表示する。
【００５５】
ステップＳ１４において、制御回路１１は、絞り込み検索ボタン２６が押下されたか否かを判断し、ＹＥＳのときはステップＳ３に戻り、ＮＯのときは処理を終了する。ステップＳ３に戻る場合、キーワード、パラメータ、及び／又はサブパラメータを追加又は変更することにより、絞り込み検索又は再検索を実行する。
【００５６】
その後、コンテンツリストのうちの１つのコンテンツがユーザによって選択されたとき、制御回路１１は、選択されたコンテンツをソース装置から取得し、表示装置１８及び／又はスピーカ１９を用いてコンテンツを再生する。
【００５７】
以上に説明したように、実施形態に係るコンテンツ再生装置１は、優先度表を用いることにより、複数のソース装置からコンテンツを横断的に検索する場合に、従来よりも容易にコンテンツを検索及び選択することができる。
【００５８】
実施形態に係るコンテンツ再生装置１は、Ｗｉ−Ｆｉ通信の可否及びパラメータに応じて複数のソース装置からのコンテンツの選択に優先度を与えた優先度表を導入することを特長とする。コンテンツを格納した複数のソース装置から所望のコンテンツを横断的に検索する場合に、ユーザに検索操作などの手間をあまりかけさせることなく、優先度表に基づいて、各ソース装置から所望のコンテンツを検索することができる。これにより、所望のコンテンツが得られにくという課題を低減することができる。一般的に、複数のソース装置から検索されるコンテンツは多量となるので、実用上、その表示順等を決める方法が使い勝手を左右する。実施形態に係るコンテンツ再生装置１は、コンテンツを検索する際の利便性を向上することができる。
【００５９】
図１のコンテンツ再生システムはＷｉ−Ｆｉ基地局装置３及びＬＴＥ基地局装置５を備えているが、コンテンツ再生装置１が自宅サーバ装置４及びクラウドサーバ装置７と通信可能であるならば、Ｗｉ−Ｆｉ及びＬＴＥに限らず、任意の無線通信方式を使用可能である。コンテンツ再生装置１は、第１の基地局装置と無線通信することにより、インターネット６を介さずに自宅２のローカルエリアネットワークを介して自宅サーバ装置４に接続される。また、コンテンツ再生装置１は、第２の基地局装置と無線通信することにより、インターネット６を介してクラウドサーバ装置７に接続される。例えば、コンテンツ再生装置１から自宅サーバ装置４に接続するために、定額かつ高速の無線通信を用いてもよく、コンテンツ再生装置１からクラウドサーバ装置７に接続するために、従量制かつ低速の無線通信を用いてもよい。
【００６０】
自宅サーバ装置４は、コンテンツ再生装置１からＬＴＥ基地局装置５及びインターネット６を介してアクセス可能であるように構成されてもよい。この場合は、ユーザが外出中であっても、コンテンツ再生装置１から自宅サーバ装置４に格納されたコンテンツにアクセス可能である。
【００６１】
本明細書において、ローカル記憶装置１４を「第１のコンテンツ記憶装置」とも呼び、自宅サーバ装置４及びクラウドサーバ装置７を「少なくとも１つの第２のコンテンツ記憶装置」とも呼ぶ。本明細書において、優先度表メモリ１５を「優先度表記憶装置」とも呼ぶ。本明細書において、Ｗｉ−Ｆｉ基地局装置３を「第１の基地局装置」とも呼び、Ｗｉ−Ｆｉ通信回路１６を「第１の無線通信回路」とも呼ぶ。本明細書において、ＬＴＥ基地局装置５を「第２の基地局装置」とも呼び、ＬＴＥ通信回路１７を「第２の無線通信回路」とも呼ぶ。
【００６２】
本発明の各態様に係るコンテンツ再生装置１及びプログラムは以下の構成を備える。
【００６３】
第１の態様に係るコンテンツ再生装置１は、コンテンツを再生するコンテンツ再生装置１であって、コンテンツ再生装置１は、ローカル記憶装置１４と、Ｗｉ−Ｆｉ通信回路１６と、ＬＴＥ通信回路１７と、優先度表メモリ１５と、入力装置１２と、表示装置１８と、制御回路１１とを備える。ローカル記憶装置１４は、コンテンツを格納する。Ｗｉ−Ｆｉ通信回路１６は、コンテンツを格納する自宅サーバ装置４及びクラウドサーバ装置７に接続されたＷｉ−Ｆｉ基地局装置３と無線通信する。ＬＴＥ通信回路１７は、自宅サーバ装置４及びクラウドサーバ装置７に接続されたＬＴＥ基地局装置５と無線通信する。優先度表メモリ１５は、ローカル記憶装置１４、自宅サーバ装置４、及びクラウドサーバ装置７の優先度を指定する優先度表を格納する。入力装置１２は、ローカル記憶装置１４、自宅サーバ装置４、及びクラウドサーバ装置７のコンテンツを検索するためのユーザ入力を受ける。表示装置１８は、ローカル記憶装置１４、自宅サーバ装置４、及びクラウドサーバ装置７のコンテンツを検索した結果を表示する。制御回路１１は、コンテンツの検索を制御する。優先度表は、Ｗｉ−Ｆｉ基地局装置３との無線通信の可否に応じて、かつ、ユーザにより択一的に選択可能な複数のパラメータに応じて、ローカル記憶装置１４、自宅サーバ装置４、及びクラウドサーバ装置７を所定の優先度で順序付ける情報を含む。制御回路１１は、優先度表を参照して、Ｗｉ−Ｆｉ基地局装置３との無線通信の可否に応じて、かつ、パラメータに応じて、ローカル記憶装置１４、自宅サーバ装置４、及びクラウドサーバ装置７の優先度を決定する。制御回路１１は、ローカル記憶装置１４に格納されたコンテンツのうちの少なくとも一部を示す第１のリストと、自宅サーバ装置４及びクラウドサーバ装置７に格納されたコンテンツのうちの少なくとも一部を示す第２のリストとを取得する。制御回路１１は、決定された優先度に基づいて第１及び第２のリストを組み合わせて第３のリストを生成し、第３のリストを表示装置１８に表示する。
【００６４】
第２の態様に係るコンテンツ再生装置１は、第１の態様に係るコンテンツ再生装置１において、
制御回路１１は、第１及び第２のリストのうち、ローカル記憶装置１４、自宅サーバ装置４、及びクラウドサーバ装置７のうちでより高い優先度を有するほうのリストを先に表示するように、第３のリストを生成する。
【００６５】
第３の態様に係るコンテンツ再生装置１は、第１又は第２の態様に係るコンテンツ再生装置１において、
制御回路１１は、第１及び第２のリストのうち、ローカル記憶装置１４、自宅サーバ装置４、及びクラウドサーバ装置７のうちでより高い優先度を有するほうのリストのコンテンツをより多く含むように、第３のリストを生成する。
【００６６】
第４の態様に係るコンテンツ再生装置１は、第１〜第３のうちの１つの態様に係るコンテンツ再生装置１において、
制御回路１１は、入力装置１２から入力されたキーワードに基づいて、第１及び第２のリストを取得する。
【００６７】
第５の態様に係るコンテンツ再生装置１は、第１〜第４のうちの１つの態様に係るコンテンツ再生装置１において、
前記制御回路は、ユーザにより選択されたパラメータに基づいて、前記第１及び第２のリストを取得する。
【００６８】
第６の態様に係るコンテンツ再生装置１は、第１〜第５のうちの１つの態様に係るコンテンツ再生装置１において、
複数のパラメータのうちの少なくとも一部は、ユーザにより選択可能な複数のサブパラメータを有し、
制御回路１１は、ユーザにより選択されたサブパラメータに基づいて、第１及び第２のリストを取得する。
【００６９】
第７の態様に係るコンテンツ再生装置１は、第１〜第６のうちの１つの態様に係るコンテンツ再生装置１において、
コンテンツは、音楽データ、静止画データ、及び動画データのうちの少なくとも１つを含む。
【００７０】
第８の態様に係るコンテンツ再生装置１は、第１〜第４７のうちの１つの態様に係るコンテンツ再生装置１において、
Ｗｉ−Ｆｉ通信回路１６は、Ｗｉ−ＦｉによりＷｉ−Ｆｉ基地局装置３と無線通信し、
ＬＴＥ通信回路１７は、ＬＴＥによりＬＴＥ基地局装置５と無線通信する。
【００７１】
第９の態様に係るコンテンツ再生装置１は、第１〜第７のうちの１つの態様に係るコンテンツ再生装置１において、
自宅サーバ装置４は、コンテンツ再生装置１からインターネットを介さずにローカルエリアネットワークを介して接続される。
【００７２】
第１０の態様に係るコンテンツ再生装置１は、第１〜第８のうちの１つの態様に係るコンテンツ再生装置１において、
クラウドサーバ装置７は、コンテンツ再生装置１からインターネットを介して接続される。
【００７３】
第１１の態様に係るプログラムは以下は、コンテンツを再生するコンテンツ再生装置１において実行されるプログラムである。コンテンツ再生装置１は、ローカル記憶装置１４と、Ｗｉ−Ｆｉ通信回路１６と、ＬＴＥ通信回路１７と、優先度表メモリ１５と、入力装置１２と、表示装置１８と、制御回路１１とを備える。プログラムは、制御回路１１によって実行されたとき、優先度表を参照して、Ｗｉ−Ｆｉ基地局装置３との無線通信の可否に応じて、かつ、パラメータに応じて、ローカル記憶装置１４、自宅サーバ装置４、及びクラウドサーバ装置７の優先度を決定するステップと、ローカル記憶装置１４に格納されたコンテンツのうちの少なくとも一部を示す第１のリストと、自宅サーバ装置４及びクラウドサーバ装置７に格納されたコンテンツのうちの少なくとも一部を示す第２のリストとを取得するステップと、決定された優先度に基づいて第１及び第２のリストを組み合わせて第３のリストを生成し、第３のリストを表示装置１８に表示するステップとを含む。
【符号の説明】
【００７４】
１…コンテンツ再生装置、
２…ユーザの自宅、
３…Ｗｉ−Ｆｉ基地局装置、
４…自宅サーバ装置、
５…ＬＴＥ基地局装置、
６…インターネット、
７…クラウドサーバ装置、
８…気象情報サーバ装置、
１１…制御回路、
１１ａ…検索部、
１１ｂ…コンテンツリスト取得部、
１１ｃ…コンテンツリスト作成部、
１２…入力装置、
１３…測位装置、
１４…ローカル記憶装置、
１５…優先度表メモリ、
１６…Ｗｉ−Ｆｉ通信回路、
１７…ＬＴＥ通信回路、
１８…表示装置、
１９…スピーカ、
２１…Ｗｉ−Ｆｉアイコン、
２２…ＬＴＥアイコン、
２３…テキストボックス、
２４…パラメータメニュー、
２５…検索ボタン、
２６…絞り込み検索ボタン、
２７…サブパラメータプルダウンメニュー。
【図１】
2018180774.tif 000003
【図２】
2018180774.tif 000004
【図３】
2018180774.tif 000005
【図４】
2018180774.tif 000006
【図５】
2018180774.tif 000007
【図６】
2018180774.tif 000008
【図７】
2018180774.tif 000009
【図８】
2018180774.tif 000010
【図９】
2018180774.tif 000011